(57)【要約】      （修正有）【課題】蓋体に生花を安定した状態で装着することができ水漏れも無く、生花の鮮度を長い間維持することができ、且つ構造を極めて簡単にする棺桶の生花支持装置を提供する。【解決手段】棺桶Ｂの蓋体６と、頂面部２に生花８が差し込まれる挿し孔２１が形成された筐体Ａと、該筐体Ａ内部に備えられたゲル剤とからなる。前記蓋体６には、窪み状の筐体受部６４が形成される。前記筐体Ａは、前記蓋体６の筐体受部６４に略埋め込み状態で装着されてなる。【選択図】図１
2010017533.tif 000002
【特許請求の範囲】
【請求項１】
棺桶の蓋体と、頂面部に生花が差し込まれる挿し孔が形成された筐体と、該筐体内部に備えられたゲル剤とからなり、前記蓋体には、窪み状の筐体受部が形成され、前記筐体は、前記蓋体の筐体受部に略埋め込み状態で装着されてなることを特徴とする棺桶の生花支持装置。
【請求項２】
請求項１において、前記筐体は略立方体状に形成され、前記頂面部には挿し孔が一つのみ形成された一輪挿のみの小形筐体とし、前記蓋体に形成される筐体受部は前記小形筐体が挿入される大きさの挿入用開口部を有してなることを特徴とする棺桶の生花支持装置。
【請求項３】
請求項１において、前記筐体は略扁平直方体状とし、頂面部には挿し孔が複数形成された大形筐体とし、前記蓋体に形成される筐体受部は前記大形筐体が挿入される大きさの挿入用開口部を有してなることを特徴とする棺桶の生花支持装置。
【請求項４】
請求項１,２又は３のいずれか１項の記載において、前記筐体の頂面部には、生花の葉又は細い茎を有する生花を挿入する小挿し孔が形成されてなることを特徴とする棺桶の生花支持装置。
【請求項５】
請求項１,２，３又は４のいずれか１項の記載において、前記筐体の下面側には、粘着テープが装着されてなることを特徴とする棺桶の生花支持装置。
【請求項６】
請求項１，２，３，４又は５のいずれか１項の記載において、前記筐体は展開された紙材から適宜折り曲げ加工により形成されてなることを特徴とする棺桶の生花支持装置。
【請求項７】
請求項１，２，３，４，５又は６のいずれか１項の記載において、前記筐体の内部には、生花支持部材が具備され、該生花支持部材に前記ゲル剤が固定されてなることを特徴とする棺桶の生花支持装置。
【請求項８】
請求項１，２，３，４，５，６又は７のいずれか１項の記載において、略方形状の板状片が具備され、該板状片は前記筐体の適宜の一側面に沿って貼着されると共に、前記板状片の一部は前記本体部の頂面部より上方に突出してなることを特徴とする棺桶の生花支持装置。
【請求項９】
請求項１，２，３，４，５，６又は７のいずれか１項の記載において、略方形状の板状片が具備され、該板状片は前記筐体の隣接する３側面に沿って貼着されると共に、前記板状片の一部は前記本体部の頂面部より上方に突出してなることを特徴とする棺桶の生花支持装置。
【請求項１０】
請求項１，２，３，４，５，６又は７のいずれか１項の記載において、略扁平円筒形状の円筒部材が具備され、該円筒部材は前記頂面部に固着されてなることを特徴とする棺桶の生花支持装置。
【発明の詳細な説明】
【技術分野】
【０００１】
この発明は、蓋体に生花を安定した状態で装着することができると共に水漏れも無く、生花の鮮度を長い間維持することができ、且つ構造を極めて簡単にすることができる棺桶の生花支持装置に関する。
【背景技術】
【０００２】
従来から一般に用いられている棺桶は、通夜、告別式において、棺桶に生花が添えられることが多い。その多くの場合は、従来では、単に棺桶の蓋に生花が載せられて置いてあるだけである。このように生花が供えられることが、葬祭に慣習的に行われている。しかし、このように生花を棺桶の蓋体に載せておくだけでは、棺桶の蓋を外して葬儀の参列者が遺体と対面するときに、蓋体に載せた生花が落ちてしまったり、或いは生花を蓋から一旦、取り除いて、蓋を開けることになる。このように、蓋を開けるたびに生花を蓋からいちいち外すことは、極めて面倒なことである。
【先行技術文献】
【特許文献】
【０００３】
【特許文献１】特開２００３−７９６８１
【発明の概要】
【発明が解決しようとする課題】
【０００４】
前記棺桶の上部に、生花を供える手段とした発明が、特許文献１に開示されている。この特許文献１によれば、棺桶の蓋に枠が備えられ、この枠に、略扁平直方体状の花差しが装着されているものである。この特許文献１によれば、蓋と共に、別の部材からなる枠体が必要であり、その枠体は、蓋と同等面積に形成されたもので、極めて大掛かりな装置となっている。したがって、棺桶の蓋を開けるときには、枠体を一旦、蓋から取り外さなくてはならず、かなり面倒なことになる。本発明の目的（技術的課題）は、棺桶の蓋体に花を極めて安定した状態で供えると共に、その構造を極めて簡単にすることにある。
【課題を解決するための手段】
【０００５】
そこで、発明者は、上記課題を解決すべく、鋭意、研究を重ねた結果、請求項１の発明を、棺桶の蓋体と、頂面部に生花が差し込まれる挿し孔が形成された筐体と、該筐体内部に備えられたゲル剤とからなり、前記蓋体には、窪み状の筐体受部が形成され、前記筐体は、前記蓋体の筐体受部に略埋め込み状態で装着されてなる棺桶の生花支持装置としたことにより、上記課題を解決した。請求項２の発明を、請求項１において、前記筐体は略立方体状に形成され、前記頂面部には挿し孔が一つのみ形成された一輪挿のみの小形筐体とし、前記蓋体に形成される筐体受部は前記小形筐体が挿入される大きさの挿入用開口部を有してなる棺桶の生花支持装置としたことにより、上記課題を解決した。
【０００６】
請求項３の発明を、請求項１において、前記筐体は略扁平直方体状とし、頂面部には挿し孔が複数形成された大形筐体とし、前記蓋体に形成される筐体受部は前記大形筐体が挿入される大きさの挿入用開口部を有してなる棺桶の生花支持装置としたことにより、上記課題を解決した。請求項４の発明を、請求項１,２又は３のいずれか１項の記載において
、前記筐体の頂面部には、生花の葉又は細い茎を有する生花を挿入する小挿し孔が形成されてなる棺桶の生花支持装置としたことにより、上記課題を解決した。
【０００７】
請求項５の発明を、請求項１,２，３又は４のいずれか１項の記載において、前記筐体
の下面側には、粘着テープが装着されてなる棺桶の生花支持装置としたことにより、上記課題を解決した。請求項６の発明を、請求項１，２，３，４又は５のいずれか１項の記載において、前記筐体は展開された紙材から適宜折り曲げ加工により形成されてなる棺桶の生花支持装置としたことにより、上記課題を解決した。請求項７の発明を、請求項１，２，３，４，５又は６のいずれか１項の記載において、前記筐体の内部には、生花支持部材が具備され、該生花支持部材に前記ゲル剤が固定されてなる棺桶の生花支持装置としたことにより、上記課題を解決した。
【０００８】
請求項８の発明を、請求項１，２，３，４，５，６又は７のいずれか１項の記載において、略方形状の板状片が具備され、該板状片は前記筐体の適宜の一側面に沿って貼着されると共に、前記板状片の一部は前記本体部の頂面部より上方に突出してなる棺桶の生花支持装置としたことにより、上記課題を解決した。請求項９の発明を、請求項１，２，３，４，５，６又は７のいずれか１項の記載において、略方形状の板状片が具備され、該板状片は前記筐体の隣接する３側面に沿って貼着されると共に、前記板状片の一部は前記本体部の頂面部より上方に突出してなる棺桶の生花支持装置としたことにより、上記課題を解決した。請求項１０の発明を、請求項１，２，３，４，５，６又は７のいずれか１項の記載において、略扁平円筒形状の円筒部材が具備され、該円筒部材は前記頂面部に固着されてなる棺桶の生花支持装置としたことにより、上記課題を解決した。
【発明の効果】
【０００９】
請求項１の発明では、筐体は、棺桶の蓋体に装着自在としたことによって、生花を即座に棺桶の蓋体の上面に安定した状態で装着することができる。そして、生花は、予めゲル剤を内部に含んだ前記筐体に飾り付けていることにより、水が漏れたりして棺桶を汚すことがなく、しかもゲル剤によって生花を葬祭が行われている期間は、鮮度を維持してゆくことができるものである。また蓋体に装着された筐体は、必要に応じて取り外すことができ、別の種類の生花との交換を極めて容易にできるものである。
【００１０】
さらに、頂面部に一輪の生花が差し込まれる挿し孔が形成された筐体の内部にゲル剤（高分子吸収剤）が備えられており、また棺桶の蓋体には、窪み状の筐体受部が形成されている。そして、前記筐体は前記蓋体の筐体受部に略埋め込み状態で装着されることができる構造としたものである。したがって、筐体の頂面部に形成された挿し孔に一輪の生花の茎を差し込み、その筐体を棺桶の蓋体に形成された窪み状の筐体受部に埋め込み状態で装着されることによって、筐体と共に生花は、棺桶の蓋体に極めて安定した状態で設置される。さらに、生花は、筐体内部のゲル剤によって、筐体に固定されるものであり、且つ筐体は、前記蓋体に埋め込み状態で固定された状態となるので、棺桶の蓋体を立てかけておいても、生花が崩れ落ちにくい構造にすることができるものである。
【００１１】
そして、遺体との対面時において、棺桶から蓋体を取り外すときにも、いちいち生花を蓋体から取り外すこともなく、蓋体を取り外すことができるものである。さらに、一輪の生花の茎が前記筐体の頂面部の挿し孔に挿入されることで、その茎の端部は、筐体内部に設けられたゲル剤に漬けられることになり、ゲル剤が生花に水分等の栄養素を十分に補給することができ、葬祭（通夜，告別式）の期間に亘って、十分に鮮度を維持することができる。
【００１２】
請求項２の発明では、前記筐体は、略立方体状に形成され、前記頂面部には挿し孔が一つのみ形成された一輪挿のみの小形筐体とし、前記蓋体に形成される筐体受部は前記小形筐体が挿入される大きさの開口を有してなる棺桶の生花支持装置としたものであり、前記筐体を一輪挿しの生花専用の小形筐体としている。さらに、蓋体には、小形筐体のみが挿入できる筐体受部が設けられている。この一輪挿しの生花のみを支持する筐体としていることで、仮に鮮度の劣る生花が発生しても、その小形筐体の部分だけを鮮度の良好な生花を植え付けた小形筐体を簡易且つ迅速に交換することができるものであり、特に葬祭における極めて忙しい期間においては好適である。
【００１３】
請求項３の発明では、前記筐体は略扁平直方体状とし、頂面部には挿し孔が複数形成された大形筐体とし、前記蓋体に形成される筐体受部は前記大形筐体が挿入される大きさの開口を有してなる棺桶の生花支持装置としたものであり、大形筐体には複数の挿し孔が形成されており、大形筐体には、複数本の生花を植え付けることができる。これによって、生花店又は生花工場等で予め大形筐体に、複数の生花を植え付けておくことにより、葬祭場等で棺桶の蓋体に形成された筐体受部に大形筐体を備え付けることで、棺桶に即座にたくさんの生花を飾ることができるものであり、葬祭の準備の作業効率を向上させることができる。
【００１４】
請求項４の発明では、前記筐体の頂面部には、生花の葉又は細い茎を有する生花を挿入する小挿し孔が形成されたことにより、筐体上面の挿し孔には主となる一輪の生花を飾り、その生花の周囲には、小挿し孔によって、さらに葉の部分や、細い茎の生花すなわち、小形の生花を差し込むことができ、主となる生花の周囲を葉や小形生花で飾ることができるものである。請求項５の発明では、前記筐体部の下面側には、粘着テープが装着されたことにより、蓋体の筐体受部に筐体を極めて強固に装着することができ、より一層、蓋体から生花が脱落しにくい構成にすることができる。
【００１５】
請求項６の発明では、前記筐体は展開された紙材から適宜折り曲げ加工により形成されることにより、筐体の組み立てが簡単にできるものであり、且つ大量に生産することに好適である。請求項７の発明では、前記筐体の頂面部には別材からなる生花支持部材が具備され、該生花支持部材に前記花挿し孔が形成され、且つ該花挿し孔の周囲には空気流通孔が形成されたことにより、筐体内部への空気の流通を良好なものとし、生花の鮮度をより一層長く維持することができる。さらに、前記生花支持部材の下部にはゲル支持部材が具備されたことにより、ゲル剤を筐体内部にて安定させると共に、生花に水分及び栄養分等を良好に供給することができるものである。
【００１６】
請求項８の発明では、板状片が前記筐体の適宜の一側面に沿って貼着され、前記板状片の一部は前記本体部の頂面部より上方に突出する構成としたことにより、棺桶の蓋体が外されて壁や祭壇に立て掛けられた状態としたときに、生花を供え付けた筐体は前記蓋体と共に直立状態に近い傾斜状態となることになり、生花の花びらの自重による垂れ下がりを防止し、生花を整然とした美しい状態で飾ることができる。請求項９の発明では、前記板状片を前記筐体の隣接する３側面に沿って貼着したことにより、生花の花びらの自重による垂れ下がりをより一層強固に支持することができる。請求項１０の発明では、略扁平円筒形状の円筒部材が具備され、該円筒部材が前記頂面部に固着されることで、生花の花びらの自重による垂れ下がりを防止する補強部材として比較的小型にすることができ、且つ筐体の外部に目立たないようにすることができる。
【図面の簡単な説明】
【００１７】
【図１】（Ａ）は本発明の第１実施形態における斜視図、（Ｂ）は（Ａ）の要部拡大斜視図である。
【図２】（Ａ）は本発明の第１実施形態において生花を供えた筐体が筐体受部に装着された状態の棺桶蓋体の要部拡大断面図、（Ｂ）は生花と葉を飾り付けた筐体の拡大縦断側面図、（Ｃ）は生花と細い茎の生花を飾り付けた筐体の拡大縦断側面である。
【図３】（Ａ）は本体部と頂面部とが分離したタイプの筐体の分解斜視図、（Ｂ）及び（Ｃ）は本体部の組立て途中の斜視図、（Ｄ）は本体部を構成する紙材の展開図である。
【図４】（Ａ）は本体部の別のタイプの斜視図、（Ｂ）は（Ａ）の本体部の組立て途中の斜視図である。
【図５】（Ａ）は本体部と面部とが一体化されたタイプの筐体の斜視図、（Ｂ）は本体部の縦断側面図、（Ｃ）は本体部の組立て途中の斜視図及び生花支持部材の斜視図である。
【図６】（Ａ）は挿し孔の拡大平面図、（Ｂ）は挿し孔の縦断側面図である。
【図７】（Ａ）は本発明の第１実施形態における棺桶の蓋体の平面図、（Ｂ）はＸａ−Ｘａ矢視拡大断面図、（Ｃ）は（Ｂ）の（ア）部拡大図である。
【図８】（Ａ）は本発明の第２実施形態における斜視図、（Ｂ）は大形筐体の拡大斜視図である。
【図９】（Ａ）は本発明の第２実施形態における蓋体の平面図、（Ｂ）は生花を供えた大形筐体及び（Ａ）のＸｂ−Ｘｂ矢視拡大断面図である。
【図１０】（Ａ）は第２実施形態における筐体の分離状態の斜視図、（Ｂ）は筐体の紙材の展開状態図である。
【図１１】（Ａ）は生花支持部材の縦断正面図、（Ｂ）は生花支持部材の平面図である。
【図１２】（Ａ）は蜂の巣状支持体を装着した筐体の斜視図、（Ｂ）は蜂の巣状支持体の平面図である。
【図１３】大形筐体に対応する蜂の巣状支持体の一部省略した斜視図である。
【図１４】（Ａ）は小形筐体を蓋体の上面に直接装着した縦断正面図、（Ｂ）は大形筐体を蓋体の上面に直接装着した縦断正面図である。
【図１５】（Ａ）は、筐体受部の配列を放射状且つ円周状とした実施形態の蓋体を示す平面図、（Ｂ）は（Ａ）の配列状態とした筐体受部に生花を飾り付けた状態の要部斜視図、（Ｃ）は筐体受部の配列を略楕円又は略長円形状とした実施形態の蓋体を示す平面図である。
【図１６】（Ａ）は蓋体を立て掛けた状態の斜視図、（Ｂ）は（Ａ）の要部拡大断面図である。
【図１７】（Ａ）は第１実施形態の筐体の第１変形例の分解斜視図、（Ｂ）は（Ａ）の組立状態斜視図、（Ｃ）は（Ｂ）の拡大縦断側面図、（Ｄ）は生花を供えた筐体を立て掛け状態の蓋体に装着した要部拡大断面図である。
【図１８】（Ａ）は第１筐体の第２変形例の斜視図、（Ｂ）は第２変形例の別の斜視図である。
【図１９】（Ａ）は筐体の第２変形例の板状片を外側に貼着する構成の一部分離した状態の斜視図、（Ｂ）は（Ａ）の筐体の縦断側面図である。
【図２０】（Ａ）は第１実施形態の筐体の第３変形例の分解斜視図、（Ｂ）は（Ａ）の組立状態の斜視図、（Ｃ）は生花を供えた筐体を立て掛け状態の蓋体に装着した要部拡大断面図である。
【発明を実施するための最良の形態】
【００１８】
以下、本発明の実施形態を図面に基づいて説明する。本発明には、複数の実施形態が存在する。まず第１実施形態を図１乃至図７に基づいて説明する。第１実施形態の主要なる構成は、筐体Ａ、ゲル剤３及び棺桶の蓋体６である。第１実施形態における筐体Ａは、図１，図２に示すように、一輪の生花８のみを飾る役目をなすものであり、その一輪の生花８及びその葉８２を固定支持し、棺桶の蓋体６に形成される筐体受部６４に埋め込み状態で装着する。
【００１９】
筐体Ａの構成は、図２（Ｂ），図３乃至図５に示すように、主に本体部１，頂面部２とから構成される。前記筐体Ａは、前記頂面部２には、挿し孔２１が一つのみ形成され、一輪挿しのみの生花８及び葉８２を飾ることができるものである。この第１実施形態における筐体Ａは、小形筐体Ａａと称する。該小形筐体Ａａの具体的なサイズは、本体部１が平面の縦横が略３cmであり、高さが略２.５cmである。しかし、第１実施形態は、このサイ
ズに限定されるものではなく、種々の大きさにしてもよい。前記本体部１は、立方体の容器状として形成されたものであり、その材質は紙である。また紙材ｍは、防水性を有するものが使用されることもあり、紙材ｍの表面に樹脂層が設けられた防水性又は耐水性としたものである。頂面部２は、本体部１の上面側を構成する部材であって、本体部１とは一体又は別材として形成されており、前記本体部１と同様に紙材ｍから形成されている。
【００２０】
まず、本体部１と頂面部２とがそれぞれ別材として、別の紙材ｍから組み立てられる構成とした場合では、図３（Ａ），図４（Ａ）に示すように、本体部１は、上面が開口し、その周囲を４個の側面１１,１１,…及び底面１２とから構成される。図３（Ｄ）は、本体部１を構成する紙材ｍを展開した図である。この展開された紙材ｍには、折曲線Ｌが２点鎖線によって記載されている。折曲線Ｌは、実物の紙材ｍには記載される必要はない。該紙材ｍの中央箇所には、正方形の底面１２が位置しており、該底面１２の４辺に側面１１，１１，…が位置している。
【００２１】
さらに紙材ｍにおいて、隣接する側面１１，１１の間には、略「Ｌ」字形状の重り代１３が位置している。対向する２つの側面１１，１１の外側に面する１辺には、固定面１４，１４が形成されており、該固定面１４，１４の先端寄りの適宜の位置には、線形状の切欠き部１４ａが前記固定面１４の幅方向において左右対称に形成されている〔図３（Ｂ）乃至（Ｄ）参照〕。この紙材ｍの底面１２の周囲の側面１１，１１，…が折り曲げて、底面１２に対して略垂直状とし、隣接する側面１１，１１の間の重り代１３が折曲線Ｌを介して折り曲げられ、対向する二つの側面１１，１１に沿って前記重り代１３を接触させる〔図３（Ｂ）参照〕。
【００２２】
この二つの対向する側面１１，１１は前記固定面１４，１４が連続形成された部分である。該固定面１４を前記側面１１の外方側に折り返し且つ、前記切欠き部１４ａを前記重り代１３の裏面側に向かって差し込み立方体を構成する〔図３（Ａ），（Ｃ）参照〕。この小形筐体Ａａの本体部１は、接着剤を使用しないで、組み立てることができるものである。
【００２３】
小形筐体Ａａの頂面部２は、略正方形状に形成された主面２ａの四辺からそれぞれ差込み片２ｂ,２ｂ,…が形成され、該差込み片２ｂ,２ｂ,…が本体部１内に挿入される〔図２（Ｂ），（Ｃ）及び図３（Ａ）参照〕。該差込み片２ｂ,２ｂ,…の下端が本体部１の底面１２に当接して、前記頂面部２の主面２ａが本体部１の開口面と略同一面となるように設定される。
【００２４】
前記頂面部２には、略正方形状に形成されており、その略中心箇所に挿し孔２１が形成されている〔図３（Ａ），図５（Ａ）参照〕。該挿し孔２１は、頂面部２に一つのみ形成されており、生花８の茎８１を差し込む部位であって、生花８の花びら箇所を飾る役目をなす。また、挿し孔２１は、図６（Ａ）に示すように、その開口孔の周囲に略放射状となるように線状或いは筋状とした複数の小切込２１ａ，２１ａ,…が形成されている。前記
挿し孔２１に、前記生花８の茎８１が差し込まれるときには、前記小切込２１ａ，２１ａ,…によって、前記茎８１と共に、前記挿し孔２１の周囲の部分が、前記頂面部２の表面側から裏面側に（下方に）向かって折れ曲がり、前記生花８の茎８１が挿し孔２１の周囲の部分に引っ掛かり、茎８１が挿し孔２１から極めて抜け難い構造にすることができるものである〔図６（Ｂ）参照〕。
【００２５】
さらに、前記頂面部２には、図３（Ａ），図５（Ａ）に示すように、挿し孔２１の周囲に小挿し孔２２，２２,…は、生花８の葉８２の枝８２aを差し込むもので、前記頂面部２の４つの角部及びその隣接する角部間に前記小挿し孔２２，２２,…が形成されている。
前記頂面部２に形成された挿し孔２１に生花８の花びらの茎８１が差し込まれ、前記挿し孔２１の周囲に形成された小挿し孔２２，２２,…に葉８２の枝８２a又は細い茎８１を有する生花８（すなわち小形生花）が差し込まれることによって、生花８の花びら部分と葉８２の部分との外観をより一層際立たせることができる〔図１（Ｂ），図２（Ｂ）,（Ｃ
）参照〕。また、前記小形筐体Ａａの本体部１において、前記固定面１４，１４には、前記切欠き部１４ａ,１４ａ,…が形成されず、前記固定面１４が前記重り代１３の表面に、直接糊付けによって固着されるタイプも存在する（図４参照）。
【００２６】
次に、小形筐体Ａａにおいて、前記本体部１及び頂面部２が一体的に連続して形成されるタイプも存在する（図５参照）。このタイプでは、本体部１は、４個の側面１１，１１，…が略立方体を構成するようにして糊等の接着剤を利用して形成される〔図５（Ａ）,（Ｃ）参照〕。前記頂面部２は、本体部１の蓋状のものとして形成されるものである。このように、一枚の紙材ｍによって展開された状態から立方体が構成されるように、適宜折り曲げ形成されるものである。略立方体状とした本体部１の上端の開口を頂面部２が、略蓋状となるように構成され、該頂面部２の主面２ａには差込み片２ｂが形成されるものである〔図５（Ｂ）参照〕。そして、前記差込み片２ｂ,２ｂが、４個の側面１１，１１，…によって略立方体として構成された本体部１の上下の開口部に挿入され、小形筐体Ａａが形成される。
【００２７】
前記小形筐体Ａａの内部には、図２（Ｂ），（Ｃ）に示すように、ゲル剤３が入れられている。該ゲル剤３は、保湿作用をなすジェリー状の軟質材であり、形状を維持することはないが、広く拡散することがないようになっている。ゲル剤３は、筐体Ａに装着した生花８の茎８１及び葉８２の枝８２aが漬かっており、水分を与える役目をなす。ゲル剤３
は、通常の園芸用のものが使用され、水分が筐体Ａの外部に漏れ出さないものが使用される。この筐体Ａに飾り付けられた生花８の鮮度を葬祭が催される数日間に亘って、良好に維持することができる。
【００２８】
小形筐体Ａａ内には、図２（Ｂ）,（Ｃ），図３（Ａ）,図５（Ｂ）及び図１１等に示すように、前記ゲル剤３を安定させると共に、生花８の茎８１をゲル剤３の内部に確実に漬かるように維持させるための生花支持部材４が備わっている。生花支持部材４は、筐体Ａ及び頂面部２等と同様に紙材から形成されたものであり、断面略Ｍ形状或いはＷ形状に折り曲げ形成されたものである。生花支持部材４は、図１１に示すように、中央に支持孔４１が形成され、生花８の茎８１が挿入されて、筐体Ａに生花８を安定した状態で飾り付けることができるようにしている〔図２（Ｂ），（Ｃ）参照〕。
【００２９】
さらに、生花支持部材４の別のタイプとして、図１２，図１３に示すように、略蜂の巣構造体とした蜂の巣状支持体４２としたものが使用される。該蜂の巣状支持体４２は、ボール紙等の厚紙から形成されたものであり、多数の蜂の巣状の孔を有している。該蜂の巣状支持体４２はゲル剤３を固定し易いものであり、且つ多数の孔を利用して、生花８の茎８１を差し込んだり、葉８２の枝８２a、或いは細い茎８１を差し込むことができる。
【００３０】
前記本体部１の底面１２には、図２（Ｂ），（Ｃ），図３（Ａ）乃至（Ｃ）に示すように、粘着テープ５が装着されている。該粘着テープ５は、粘着シート５１と剥離シート５２とからなり、粘着シート５１から剥離シート５２を剥がして小形筐体Ａａを、棺桶の蓋体６の筐体受部６４に固着する役目をなすものである〔図２（Ａ）参照〕。前記粘着テープ５は、具体的には、両面テープが使用される。
【００３１】
まず、前記ゲル剤３を前記生花支持部材４に絡ませて、ゲル剤３を生花支持部材４によって固定させ、該生花支持部材４を筐体Ａの本体部１内部に装着される。ゲル剤３は、生花支持部材４によって、本体部１内部に安定した状態に固定され、生花８の茎８１が前記挿し孔２１から挿入されて、生花８の茎８１がゲル剤に漬かる状態を維持することができる〔図２（Ｂ）,（Ｃ）参照〕。
【００３２】
棺桶Ｂの蓋体６には、図１，図２（Ａ），図７等に示すように、複数の筐体受部６４,
６４,…が形成されている。前記蓋体６は、複数の板材から構成され天板箇所は、中空状
に形成されている。蓋体６は表面板６１と下面板６２とから構成され、前記表面板６１と下面板６２との間に隙間が存在するように構成されている〔図７（Ｂ）,（Ｃ）参照〕。
さらに表面板６１と下面板６２との間には補強材６３が組み込まれている。該補強材６３は、蓋体６の長手方向に沿って配列されている。前記筐体受部６４は、前記蓋体６に窪み形状に形成された部位であり、前記筐体Ａを埋め込む場所である。
【００３３】
そして、前記筐体受部６４は表面板６１に、挿入用開口部６４ａが形成され、該挿入用開口部６４ａと該挿入用開口部６４ａに対応する下面板６２の位置によって、窪み形状の筐体受部６４が構成される〔図７（Ｃ）参照〕。さらに、特に図示しないが、前記表面板６１と下面板６２との間に前記挿入用開口部６４ａの内周縁に沿うようにして壁面部を構成することもある。前記挿入用開口部６４ａは、前記小形筐体Ａａの本体部１の底面１２が挿入される程度の大きさである〔図１（Ｂ），図２（Ａ）参照〕。好ましくは、小形筐体Ａａの本体部１と挿入用開口部６４ａとの隙間が最小となるように、前記挿入用開口部６４ａに挿入される構成であればよい。
【００３４】
前記筐体受部６４は、前述したように、前記蓋体６に、複数形成されたものであるが、その筐体受部６４の配列の具体例としては、図７に示すように筐体受部６４の直線状の行と列から構成されるもので、長方形又は正方形等の方形状を構成するように筐体受部６４が集合して配列形成されたものである。また、別の筐体受部６４の配列の具体例としては、図１５（Ａ）に示すように、筐体受部６４が放射状且つ円周状に配列形成されたものも存在する。この実施形態では、蓋体６の幅方向の中心位置に筐体受部６４が形成され、該筐体受部６４を中心として略放射状となるように複数の筐体受部６４が形成される。その中心の筐体受部６４の周囲を複数の筐体受部６４が円周状に列を構成するように形成されたものである。さらに、図１５（Ｃ）に示すように、方形状の配列と円周状の配列とが組み合わさって、略楕円又は略長円形状の配列とした実施形態も存在する。
【００３５】
次に、本発明の第２実施形態を図８乃至図１０に基づいて説明する。第２実施形態では、前記筐体Ａは略扁平直方体状としたものである。前述の第１実施形態の筐体Ａ（小形筐体Ａａ）よりも、サイズが大きく、多数の生花８及び葉８２を飾り付けることができる。第２実施形態における筐体Ａは、大形筐体Ａｂと称する。まず、大形筐体Ａｂでは、一枚の紙材ｍから折り曲げ形成され、略扁平直方体の枕形状を構成している〔図８（Ｂ）参照〕。その展開図が図１０（Ｂ）に開示されている。前記小形筐体Ａａの場合と同様に、底面１２、側面１１，１１，…及び頂面部２となる部位が１枚の紙材ｍに形成されている。さらに隣接する側面１１，１１の間には重り代１３が形成されている。展開された状態の前記紙材ｍ〔図１０（Ｂ）参照〕から、折曲線Ｌに従って折り曲げることにより、大形筐体Ａｂが形成される〔図１０（Ａ）参照〕。前記頂面部２には、挿し孔２１が、複数備わっており、長手方向に沿って、略一列状に配列形成されている〔図１０（Ａ），（Ｂ）参照〕。さらに、底面１２には、粘着テープ５が装着されている。粘着テープ５は、第１実施形態と同様の構造である。
【００３６】
また、前記頂面部２には、前記挿し孔２１と共に多数の小挿し孔２２，２２,…が配列
形成されている。第２実施形態では、大形筐体Ａｂが２個備えられ、２個１組として使用することが好ましい〔図８（Ｂ），図１０（Ａ）参照〕。前記小挿し孔２２，２２,…は
側面１１に形成されることもある。大形筐体Ａｂ，Ａｂが左右対称に配置され、前記水平面同士が隣接するようにして配置される。２個の大形筐体Ａｂ，Ａｂは、ベース部材２３によって支持される。該ベース部材２３は、紙製で略長方形状の盆形状に形成されたものであり、図８（Ｂ），図１０（Ａ）に示すように、２つの大形筐体Ａｂ，Ａｂがきっちりと収まるように配置可能としたものであって、大形筐体Ａｂの粘着テープ５によって、前記ベース部材２３に固定される。また、該ベース部材２３の裏面側にも、前記粘着テープ５が装着されている。
【００３７】
前記蓋体６には、第１実施形態と同様に筐体受部６４が形成されており、該筐体受部６４は、前記大形筐体Ａｂのベース部材２３が挿入される大きさの挿入用開口部６４ａを有している〔図８（Ａ），図９参照〕。該挿入用開口部６４ａは、大形筐体Ａｂのベース部材２３と同様に略長方形状に形成されている。該大形筐体Ａｂは、前記第１実施形態の小形筐体Ａａと一緒に使用されることもある。この大形筐体Ａｂの内部には、前記生花支持部材４が装着されており、特に蜂の大形の巣状支持体４２が装着される（図１３参照）。このように大形の蜂の巣状支持体４２が使用されることで、生花８の茎８１の支持をより一層安定させることができる。具体的には、底面１２と略同一サイズで平面形状が長方形となる蜂の巣状支持体４２が使用される。
【００３８】
次に、本発明の棺桶への生花８の飾り付けを説明する。第１実施形態では、筐体Ａは小形筐体Ａａが使用され、頂面部２の挿し孔２１に一輪の生花８が差し込まれ、小挿し孔２２，２２,…には生花８の葉８２の枝８２aが差し込まれる。筐体Ａの内部にゲル剤３が備わっているので、生花８の茎８１及び葉８２の枝８２aが、ゲル剤３に漬かるようにしておく。これによって、生花８の茎８１や、葉８２の枝８２aはゲル剤３から水分や栄養分が供給される。筐体Ａには粘着テープ５が装着されており、剥離シート５２を剥がして粘着シート５１を露出させ、棺桶Ｂの蓋体６に形成された窪み状の筐体受部６４に略埋め込み状態で装着される〔図１，図２（Ａ）参照〕。
【００３９】
次に本発明の第２実施形態では、筐体Ａは大形筐体Ａｂである。大形筐体Ａｂの場合には、一度に複数本の生花８を飾りつけることができる〔図８（Ａ），図９（Ｂ）参照〕。そして、２個の大形筐体Ａｂ，Ａｂをベース部材２３に配置して、該ベース部材２３を前記筐体受部６４に挿入し、粘着テープ５等により固着するものである〔図９（Ｂ）参照〕。さらに、前記ベース部材２３を使用しないで、前記大形筐体Ａｂを直接、前記筐体受部６４に固着してもよい。特に、生花店又は生花工場等で予め大形筐体Ａｂに、複数の生花８を植え付けておくことができ、葬祭場等で棺桶Ｂの蓋体６に形成された筐体受部６４に大形筐体Ａｂを備え付けることで、棺桶に即座にたくさんの生花８を飾ることができるものであり、葬祭の準備の作業効率を向上させることができる。
【００４０】
また、前記蓋体６には、筐体受部６４が形成されないで、前記筐体Ａ（小形筐体Ａａ及び大形筐体Ａｂ）が直接蓋体６の上面に装着されることもある（図１４）。この場合には、小形筐体Ａａ又は大形筐体Ａｂのそれぞれの底面１２に備えた粘着テープ５を利用して、前記蓋体６の上面に直接固着することができる。また、筐体Ａは粘着テープ５以外に直接、接着材を利用して蓋体６に固着してもよい。この筐体Ａの装着手段は、最も簡単であり、即座実施することができる。
【００４１】
次に、前記筐体Ａにおいて第１実施形態とした小形筐体Ａａには、変形例が種々存在している。その第１変形例として、前記筐体受部６４に板状片１５が具備されたものである。この第１変形例では、図１７（Ａ）乃至（Ｃ）に示すように、小形筐体Ａａの本体部１では、略方形状の板状片１５が具備され、該板状片１５は前記筐体Ａの適宜の一側面１１に沿って貼着されると共に、前記板状片１５の一部は前記本体部１の頂面部２より上方に突出する構成とする実施形態が存在する。前記板状片１５は、本体部１と同一の防水性を有するものが使用されることが好ましく、板状片１５の紙材ｍの表面には樹脂層が設けられた防水性又は耐水性としたものである。前記板状片１５は、略長方形状に形成されたものであり、具体的には、前記本体部１を構成する適宜の側面１１よりも大きく形成されたものである。
【００４２】
そして、本体部１の適宜の側面１１に側面１１、本体部１と頂面部２との間の隙間より差し込むことによって固定される〔図１７（Ｂ），（Ｃ）参照〕。さらに、前記板状片１５には、両面が粘着面である粘着テープ５が装着されることもあり、この場合には該粘着テープ５を介して本体部１の側面１１の内面に固着される。前記板状片１５の一部は、前記側面１１の上端よりさらに上方に突出するもので、この状態は筐体Ａ（小形筐体Ａａ）の方形状の頂面部２の一辺から上方に向かって突出する構成となる。具体的には、板状片１５の長手方向の略半分又は半分以上の部分が筐体Ａ内に差し込まれる部分であり、その残りの部分が筐体Ａの頂面部２から突出する部分となる〔図１７（Ｃ）参照〕。
【００４３】
前記第１変形例における板状片１５が装着された筐体Ａ（小形筐体Ａａ）は、図１６（Ａ）に示すように、特に前記棺桶Ｂの蓋体６を取り外して、該蓋体６を祭壇又は壁面に立て掛けておく場合に使用されるものである。すなわち、葬祭場で葬儀が行われた場合に、遺体と参列者との対面や最後の別れの儀式等のときに、棺桶Ｂから蓋体６が外されて、該蓋体６が祭壇又は壁等に立て掛けられた状態にされることがある〔図１６（Ａ）参照〕。この場合には、前記筐体Ａ（小形筐体Ａａ）も前記蓋体６と同様に直立状態に近い傾斜状態となることになる〔図１６（Ｂ）参照〕。
【００４４】
そのために、筐体Ａ（小形筐体Ａａ）に差し込まれた生花８の花びら８３は、その自重Ｗによって、垂れ下がってしまうことになり、参列者が見ると極めて見苦しい状態になることがある。前記生花８の垂れ下がり状態は、図１７（Ｄ）の想像線によって示されている。そこで、前記蓋体６が立て掛けられた状態で、該蓋体６の筐体受部６４に装着された筐体Ａ（小形筐体Ａａ）の下方側に位置する側面１１に沿って前記板状片１５が装着されると、生花８の花びら８３を下方側から支持する構成となり、該花びら８３の自重Ｗによる垂れ下がりに対して板状片１５には反力Ｆが作用して、該板状片１５の突出部分が生花８を支持し、花びら８３の垂れ下がりを防止し、生花８を整然とした美しい状態で飾ることができる〔図１７（Ｄ）参照〕。
【００４５】
前記板状片１５を３枚具備して、隣接する３個の側面１１、すなわち、下方に位置する側面１１と、該側面１１に隣接する２つの側面１１に沿って装着される形態も存在する〔図１８（Ａ）参照〕。この場合には、花びら８３の下方への垂れ下がりを防止すると共に、横方向（水平方向）にも安定した状態で花びら８３を支持することができる。また前記３枚の板状片１５を一枚の紙材ｍを断面略「コ」字形状に折曲形成して前記筐体Ａ（小形筐体Ａａ）の本体部１に装着することも可能であり、前記板状片１５を３枚別々に装着する場合よりも、本体部１に装着し易くすることができるものである。また、前記板状片１５は４個の側面１１、すなわち全側面１１，１１，…に沿って装着される形態も存在する〔図１８（Ｂ）参照〕。この場合には、前記筐体Ａ（小形筐体Ａａ）の上方にさらに平面より見て方形状の囲いが構成されることになる。また、前記板状片１５は、前記筐体Ａ（小形筐体Ａａ）の側面１１の外面に前記粘着テープ５を介して固着される形態も存在する（図１９参照）。
【００４６】
さらに、筐体Ａ（小形筐体Ａａ）の別の実施形態として、前記本体部１に円筒部材１６が具備されたものが存在する〔図２０（Ａ），（Ｂ）参照〕。円筒部材１６は、図２０（Ａ）に示すように、略扁平円筒形状に形成されたものであり、本体部１又は前記板状片１５と同様の紙材ｍが使用されている。また、同様に紙材ｍの表面には樹脂層が設けられた防水性又は耐水性としたものである。円筒部材１６は、前記紙材ｍが帯状に形成され、その帯状とした紙材ｍがリング状に巻かれて扁平円筒形状に形成されたものである。
【００４７】
前記円筒部材１６は、前記頂面部２に粘着テープ５又は接着剤等の固着手段を介して固着されている。ここで使用される粘着テープ５は、具体的には前記頂面部２の主面２ａと略同等形状としたもので、挿し孔２１、小切込２１ａ、小挿し孔２２等に相当する部位が形成されたものである〔図２０（Ａ）参照〕。前記円筒部材１６は、前記頂面部２の挿し孔２１が形成された箇所を略中心として、該挿し孔２１を囲むようにして、前記粘着テープ５を介して固着されたり、又は接着剤を介して固着されている〔図２０（Ｂ）参照〕。
【００４８】
前記円筒部材１６は、前記挿し孔２１に差し込まれた生花８の茎８１の周囲の花びら８３部分を受け止めるようにして支持することができる〔図２０（Ｃ）参照〕。円筒部材１６は、前記板状片１５と同様に、立て掛けられた蓋体６の筐体受部６４に装着された筐体Ａ（小形筐体Ａａ）の花びら８３が垂れ下がることを防止することができるものであり、前述した板状片１５と同様に、花びら８３の自重Ｗによる垂れ下がりに対して円筒部材１６に反力Ｆが作用して、生花８の垂れ下がりを防止し、花びら８３を整然とした美しい状態で飾ることができる〔図２０（Ｃ）参照〕。
【符号の説明】
【００４９】
Ａ…筐体、Ａａ…小形筐体、Ａｂ…大形筐体、１５…板状片、１６…円筒部材、
２…頂面部、２１…挿し孔、２２…小挿し孔、３…ゲル剤、４…生花支持部材、
５…粘着テープ、６…蓋体、６４…筐体受部、６４ａ…挿入用開口部。
【図１】
2010017533.tif 000003
【図２】
2010017533.tif 000004
【図３】
2010017533.tif 000005
【図４】
2010017533.tif 000006
【図５】
2010017533.tif 000007
【図６】
2010017533.tif 000008
【図７】
2010017533.tif 000009
【図８】
2010017533.tif 000010
【図９】
2010017533.tif 000011
【図１０】
2010017533.tif 000012
【図１１】
2010017533.tif 000013
【図１２】
2010017533.tif 000014
【図１３】
2010017533.tif 000015
【図１４】
2010017533.tif 000016
【図１５】
2010017533.tif 000017
【図１６】
2010017533.tif 000018
【図１７】
2010017533.tif 000019
【図１８】
2010017533.tif 000020
【図１９】
2010017533.tif 000021
【図２０】
2010017533.tif 000022
【手続補正書】
【提出日】平成21年10月5日(2009.10.5)
【手続補正１】
【補正対象書類名】特許請求の範囲
【補正対象項目名】全文
【補正方法】変更
【補正の内容】
【特許請求の範囲】
【請求項１】
挿入用開口部を有する窪み形状の筐体受部が複数形成された棺桶の蓋体と、紙材から略正方形状に形成され、且つその略中心箇所に挿し孔が形成された頂面部を有する小形筐体と、該小形筐体内部に備えられたゲル剤と、前記筐体の適宜の一側面に沿って貼着され且つ紙材から略方形状に形成された板状片とからなり、前記挿入用開口部は、前記小形筐体の底面が挿入される大きさとし、前記小形筐体は、前記蓋体の筐体受部に略埋め込み状態で装着され、且つ前記蓋体が立て掛けられた状態で、該蓋体の筐体受部に装着された小形筐体の下方側に位置する側面に沿って前記板状片が装着され、該板状片の一部は前記小形筐体の頂面部より上方に突出してなることを特徴とする棺桶の生花支持装置。
【請求項２】
請求項１において、前記板状片は３枚が具備され、該板状片は前記小形筐体の隣接する３側面に沿って貼着されると共に、前記板状片の一部は前記小形筐体の頂面部より上方に突出してなることを特徴とする棺桶の生花支持装置。
【請求項３】
挿入用開口部を有する窪み形状の筐体受部が複数形成された棺桶の蓋体と、紙材から略正方形状に形成され、且つその略中心箇所に挿し孔が形成された頂面部を有する小形筐体と、該小形筐体内部に備えられたゲル剤と、帯状とした紙材がリング状に巻かれて略扁平円筒形状に形成された円筒部材とからなり、前記挿入用開口部は、前記小形筐体の底面が挿入される大きさとし、前記小形筐体は、前記蓋体の筐体受部に略埋め込み状態で装着され、前記円筒部材は前記挿し孔が形成された箇所を略中心として、該挿し孔を囲むようにして、前記頂面部に固着されてなることを特徴とする棺桶の生花支持装置。
【請求項４】
請求項１,２又は３のいずれか１項の記載において、前記小形筐体の頂面部には、生花の葉又は細い茎を有する生花を挿入する小挿し孔が前記挿し孔の周囲に形成されてなることを特徴とする棺桶の生花支持装置。
【請求項５】
請求項１,２，３又は４のいずれか１項の記載において、前記小形筐体の下面側には、粘着テープが装着されてなることを特徴とする棺桶の生花支持装置。    
【請求項６】
請求項１，２，３，４又は５のいずれか１項の記載において、前記小形筐体は展開された紙材から適宜折り曲げ加工により形成されてなることを特徴とする棺桶の生花支持装置。
【請求項７】
請求項１，２，３，４，５又は６のいずれか１項の記載において、前記小形筐体の内部には、生花支持部材が具備され、該生花支持部材に前記ゲル剤が固定されてなることを特徴とする棺桶の生花支持装置。
【手続補正２】
【補正対象書類名】明細書
【補正対象項目名】０００５
【補正方法】変更
【補正の内容】
【０００５】
そこで、発明者は、上記課題を解決すべく、鋭意、研究を重ねた結果、請求項１の発明を、挿入用開口部を有する窪み形状の筐体受部が複数形成された棺桶の蓋体と、紙材から略正方形状に形成され、且つその略中心箇所に挿し孔が形成された頂面部を有する小形筐体と、該小形筐体内部に備えられたゲル剤と、前記筐体の適宜の一側面に沿って貼着され且つ紙材から略方形状に形成された板状片とからなり、前記挿入用開口部は、前記小形筐体の底面が挿入される大きさとし、前記小形筐体は、前記蓋体の筐体受部に略埋め込み状態で装着され、且つ前記蓋体が立て掛けられた状態で、該蓋体の筐体受部に装着された小形筐体の下方側に位置する側面に沿って前記板状片が装着され、該板状片の一部は前記小形筐体の頂面部より上方に突出してなる棺桶の生花支持装置としたことにより、上記課題を解決した。
【手続補正３】
【補正対象書類名】明細書
【補正対象項目名】０００６
【補正方法】変更
【補正の内容】
【０００６】
請求項２の発明を、請求項１において、前記板状片は３枚が具備され、該板状片は前記小形筐体の隣接する３側面に沿って貼着されると共に、前記板状片の一部は前記小形筐体の頂面部より上方に突出してなる棺桶の生花支持装置としたことにより、上記課題を解決した。請求項３の発明を、挿入用開口部を有する窪み形状の筐体受部が複数形成された棺桶の蓋体と、紙材から略正方形状に形成され、且つその略中心箇所に挿し孔が形成された頂面部を有する小形筐体と、該小形筐体内部に備えられたゲル剤と、帯状とした紙材がリング状に巻かれて略扁平円筒形状に形成された円筒部材とからなり、前記挿入用開口部は、前記小形筐体の底面が挿入される大きさとし、前記小形筐体は、前記蓋体の筐体受部に略埋め込み状態で装着され、前記円筒部材は前記挿し孔が形成された箇所を略中心として、該挿し孔を囲むようにして、前記頂面部に固着されてなる棺桶の生花支持装置としたことにより、上記課題を解決した。
【手続補正４】
【補正対象書類名】明細書
【補正対象項目名】０００７
【補正方法】変更
【補正の内容】
【０００７】
請求項４の発明を、請求項１,２又は３のいずれか１項の記載において、前記小形筐体の頂面部には、生花の葉又は細い茎を有する生花を挿入する小挿し孔が前記挿し孔の周囲に形成されてなる棺桶の生花支持装置としたことにより、上記課題を解決した。請求項５の発明を、請求項１,２，３又は４のいずれか１項の記載において、前記小形筐体の下面側には、粘着テープが装着されてなる棺桶の生花支持装置としたことにより、上記課題を解決した。
【手続補正５】
【補正対象書類名】明細書
【補正対象項目名】０００８
【補正方法】変更
【補正の内容】
【０００８】
請求項６の発明を、請求項１，２，３，４又は５のいずれか１項の記載において、前記小形筐体は展開された紙材から適宜折り曲げ加工により形成されてなる棺桶の生花支持装置としたことにより、上記課題を解決した。請求項７の発明を、請求項１，２，３，４，５又は６のいずれか１項の記載において、前記小形筐体の内部には、生花支持部材が具備され、該生花支持部材に前記ゲル剤が固定されてなる棺桶の生花支持装置としたことにより、上記課題を解決した。
【手続補正６】
【補正対象書類名】明細書
【補正対象項目名】０００９
【補正方法】変更
【補正の内容】
【０００９】
請求項１の発明では、小形筐体は、棺桶の蓋体に装着自在としたことによって、生花を即座に棺桶の蓋体の上面に安定した状態で装着することができる。そして、生花は、予めゲル剤を内部に含んだ前記小形筐体に飾り付けていることにより、水が漏れたりして棺桶を汚すことがなく、しかもゲル剤によって生花を葬祭が行われている期間は、鮮度を維持してゆくことができるものである。また蓋体に装着された小形筐体は、必要に応じて取り外すことができ、別の種類の生花との交換を極めて容易にできるものである。
【手続補正７】
【補正対象書類名】明細書
【補正対象項目名】００１０
【補正方法】変更
【補正の内容】
【００１０】
さらに、頂面部に一輪の生花が差し込まれる挿し孔が形成された小形筐体の内部にゲル剤（高分子吸収剤）が備えられており、また棺桶の蓋体には、窪み状の小形筐体受部が形成されている。そして、前記小形筐体は前記蓋体の筐体受部に略埋め込み状態で装着されることができる構造としたものである。したがって、小形筐体の頂面部に形成された挿し孔に一輪の生花の茎を差し込み、その小形筐体を棺桶の蓋体に形成された窪み状の筐体受部に埋め込み状態で装着されることによって、小形筐体と共に生花は、棺桶の蓋体に極めて安定した状態で設置される。さらに、生花は、小形筐体内部のゲル剤によって、小形筐体に固定されるものであり、且つ小形筐体は、前記蓋体に埋め込み状態で固定された状態となるので、棺桶の蓋体を立てかけておいても、生花が崩れ落ちにくい構造にすることができるものである。
【手続補正８】
【補正対象書類名】明細書
【補正対象項目名】００１１
【補正方法】変更
【補正の内容】
【００１１】
そして、遺体との対面時において、棺桶から蓋体を取り外すときにも、いちいち生花を蓋体から取り外すこともなく、蓋体を取り外すことができるものである。さらに、一輪の生花の茎が前記小形筐体の頂面部の挿し孔に挿入されることで、その茎の端部は、小形筐体内部に設けられたゲル剤に漬けられることになり、ゲル剤が生花に水分等の栄養素を十分に補給することができ、葬祭（通夜，告別式）の期間に亘って、十分に鮮度を維持することができる。
【手続補正９】
【補正対象書類名】明細書
【補正対象項目名】００１２
【補正方法】変更
【補正の内容】
【００１２】
さらに、前記小形筐体は、略立方体状に形成され、前記頂面部には挿し孔が一つのみ形成された一輪挿のみのものとし、前記蓋体に形成される筐体受部は前記小形筐体が挿入される大きさの開口を有してなる棺桶の生花支持装置としたものであり、前記小形筐体を一輪挿しの生花専用としている。さらに、蓋体には、小形筐体のみが挿入できる筐体受部が設けられている。この一輪挿しの生花のみを支持する筐体としていることで、仮に鮮度の劣る生花が発生しても、その小形筐体の部分だけを鮮度の良好な生花を植え付けた小形筐体を簡易且つ迅速に交換することができるものであり、特に葬祭における極めて忙しい期間においては好適である。
【手続補正１０】
【補正対象書類名】明細書
【補正対象項目名】００１３
【補正方法】変更
【補正の内容】
【００１３】
さらに、請求項１の発明では、板状片が前記小形筐体の適宜の一側面に沿って貼着され、前記板状片の一部は前記本体部の頂面部より上方に突出する構成としたことにより、棺桶の蓋体が外されて壁や祭壇に立て掛けられた状態としたときに、生花を供え付けた小形筐体は前記蓋体と共に直立状態に近い傾斜状態となることになり、生花の花びらの自重による垂れ下がりを防止し、生花を整然とした美しい状態で飾ることができる。請求項２の発明では、前記板状片を前記小形筐体の隣接する３側面に沿って貼着したことにより、生花の花びらの自重による垂れ下がりをより一層強固に支持することができる。請求項３の発明では、略扁平円筒形状の円筒部材が具備され、該円筒部材が前記頂面部に固着されることで、生花の花びらの自重による垂れ下がりを防止する補強部材として比較的小型にすることができ、且つ小形筐体の外部に目立たないようにすることができる。
【手続補正１１】
【補正対象書類名】明細書
【補正対象項目名】００１４
【補正方法】変更
【補正の内容】
【００１４】
請求項４の発明では、前記小形筐体の頂面部には、生花の葉又は細い茎を有する生花を挿入する小挿し孔が形成されたことにより、小形筐体上面の挿し孔には主となる一輪の生花を飾り、その生花の周囲には、小挿し孔によって、さらに葉の部分や、細い茎の生花すなわち、小形の生花を差し込むことができ、主となる生花の周囲を葉や小形生花で飾ることができるものである。請求項５の発明では、前記小形筐体の下面側には、粘着テープが装着されたことにより、蓋体の筐体受部に小形筐体を極めて強固に装着することができ、より一層、蓋体から生花が脱落しにくい構成にすることができる。
【手続補正１２】
【補正対象書類名】明細書
【補正対象項目名】００１５
【補正方法】変更
【補正の内容】
【００１５】
請求項６の発明では、前記小形筐体は展開された紙材から適宜折り曲げ加工により形成されることにより、小形筐体の組み立てが簡単にできるものであり、且つ大量に生産することに好適である。請求項７の発明では、前記小形筐体の頂面部には別材からなる生花支持部材が具備され、該生花支持部材に前記花挿し孔が形成され、且つ該花挿し孔の周囲には空気流通孔が形成されたことにより、小形筐体内部への空気の流通を良好なものとし、生花の鮮度をより一層長く維持することができる。さらに、前記生花支持部材の下部にはゲル支持部材が具備されたことにより、ゲル剤を小形筐体内部にて安定させると共に、生花に水分及び栄養分等を良好に供給することができるものである。
【手続補正１３】
【補正対象書類名】明細書
【補正対象項目名】００１６
【補正方法】変更
【補正の内容】
【００１６】
なお、筐体は略扁平直方体状とし、頂面部には挿し孔が複数形成された大形筐体とし、前記蓋体に形成される筐体受部は前記大形筐体が挿入される大きさの開口を有してなる棺桶の生花支持装置とすれば、大形筐体には複数の挿し孔が形成されており、大形筐体には、複数本の生花を植え付けることができる。これによって、生花店又は生花工場等で予め大形筐体に、複数の生花を植え付けておくことにより、葬祭場等で棺桶の蓋体に形成された筐体受部に大形筐体を備え付けることで、棺桶に即座にたくさんの生花を飾ることができるものであり、葬祭の準備の作業効率を向上させることができる。